Podtech/llm-jp-corpus-v4-ja_patent huggingface dataset:
【手続補正書】
【提出日】平成28年12月5日(2016.12.5)
【手続補正１】
【補正対象書類名】特許請求の範囲
【補正対象項目名】全文
【補正方法】変更
【補正の内容】
【特許請求の範囲】
【請求項１】
導入される試料をイオン化するためのプラズマを生成するプラズマ発生手段と、前記プラズマを真空中に引き込むためのインターフェース手段と、前記プラズマからイオンをイオンビームとして引き出し誘導するためのイオンレンズ手段と、前記イオンビームから干渉イオンを除去するためのコリジョン／リアクションセル手段と、前記コリジョン／リアクションセル手段からのイオンビーム中から所定のイオンを質量電荷比に基づいて第１の軸に沿って通過させる質量分析手段と、イオンを検出するための検出手段とを含む、質量分析装置であって、
前記質量分析手段より前に配置されイオン偏向を行う少なくとも一つの第１のイオン偏向手段と、
前記質量分析手段と前記検出手段との間に配置されイオン偏向を行う少なくとも一つの第２のイオン偏向手段とを含む、プラズマ質量分析装置。
【請求項２】
前記第２のイオン偏向手段は、前記第１の軸に沿って前記質量分析手段を通過した前記所定のイオンを、前記検出手段へと第２の軸に沿うように偏向して誘導するための電場を生成する電極を備える、請求項１に記載の質量分析装置。
【請求項３】
前記電極は、前記第１の軸に交わらないように配置されている、請求項２に記載の質量分析装置。
【請求項４】
前記第２のイオン偏向手段は、前記第１の軸を囲む第１のアパーチャを備えた第１の遮蔽板と、
前記検出手段に通じる第２のアパーチャを備えた第２の遮蔽板とを含む、請求項２又は３に記載の質量分析装置。
【請求項５】
前記第１及び第２の遮蔽板がステンレス鋼からなる、請求項４に記載の質量分析装置。
【請求項６】
前記第１の遮蔽板が前記第２の遮蔽板に結合されている、請求項４又は５に記載の質量分析装置。
【請求項７】
前記電極は、前記第１のアパーチャを通過するイオンが前記第２のアパーチャを通過するようにイオンを偏向するように配置されている、請求項４から６の何れかに記載の質量分析装置。
【請求項８】
前記電極は、第１、第２及び第３の電極からなり、
前記第１及び第２の電極は、前記第１の軸を挟んで対向するように配置され、
前記第３の電極は、前記第２の軸を挟んで前記第１の電極に対向するように配置されている、請求項２から７の何れかに記載の質量分析装置。
【請求項９】
前記電極が、ロッド状電極からなる、請求項２から８の何れかに記載の質量分析装置。
【請求項１０】
前記電極が、ステンレス鋼からなる、請求項２から９の何れかに記載の質量分析装置。
【請求項１１】
前記第１の軸と前記第２の軸が直交している、請求項２から１０の何れかに記載の質量分析装置。
【請求項１２】
イオンの極性に応じて、前記第１の電極には、前記第２及び第３の電極に比して負または正の電圧が印加される、請求項８に記載の質量分析装置。
【請求項１３】
前記第２及び第３の電極には同じ電圧が印加される、請求項１２に記載の質量分析装置。
【手続補正書】
【提出日】平成28年11月28日(2016.11.28)
【手続補正１】
【補正対象書類名】特許請求の範囲
【補正対象項目名】全文
【補正方法】変更
【補正の内容】
【特許請求の範囲】
【請求項１】
装置基板上に実装される第１のＬＥＤ素子、第２のＬＥＤ素子及び波長変換部材を備える半導体光源装置であって、
前記第１のＬＥＤ素子が成長基板を含み、当該成長基板を介して前記装置基板に実装されることにより、
前記第１のＬＥＤ素子の発光層が前記第２のＬＥＤ素子の上面よりも前記装置基板に対し高い位置にあり、
前記波長変換部材は、前記第２のＬＥＤ素子を被覆し、前記第１のＬＥＤ素子の上面には付着しない半導体光源装置。
【請求項２】
前記第２のＬＥＤ素子が成長基板を有していない、請求項１に記載の半導体光源装置。
【請求項３】
前記第１のＬＥＤ素子が赤色ＬＥＤ素子である、請求項１又は２に記載の半導体光源装置。
【請求項４】
前記第１のＬＥＤ素子の発光層が窒化物系化合物半導体からなる、請求項１又は２に記載の半導体光源装置。
【請求項５】
前記第１のＬＥＤ素子及び前記第２のＬＥＤ素子の発光層が共に窒化物系化合物半導体からなる、請求項１〜３の何れか１項に記載の半導体光源装置。
【請求項６】
前記第１のＬＥＤ素子が緑色ないし青緑色ＬＥＤ素子であり、前記第２のＬＥＤ素子が青色ＬＥＤ素子である、請求項５に記載の半導体光源装置。
【請求項７】
前記装置基板に対して低い前記第２のＬＥＤ素子の発光面積のほうが、前記装置基板に対して高い前記第１のＬＥＤ素子の発光面積よりも広く形成されている、請求項１〜６の何れか１項に記載の半導体光源装置。
【請求項８】
前記装置基板に対して高い前記第１のＬＥＤ素子と前記装置基板に対して低い前記第２のＬＥＤ素子とが前記装置基板に交互に実装されている、請求項１〜７の何れか１項に記載の半導体光源装置。
【請求項９】
前記第１のＬＥＤ素子の総数よりも前記第２のＬＥＤ素子の総数のほうが多い、請求項１〜８の何れか１項に記載の半導体光源装置。
【請求項１０】
前記波長変換部材は、前記第１のＬＥＤ素子の成長基板の側面に付着する、請求項１〜９の何れか１項に記載の半導体光源装置。
【請求項１１】
前記第１のＬＥＤ素子は、半導体層と前記成長基板との間に反射層を備える、請求項１〜１０の何れか１項に記載の半導体光源装置。
【請求項１２】
前記反射層がＤＢＲである、請求項１１に記載の半導体光源装置。
【手続補正書】
【提出日】平成28年12月26日(2016.12.26)
【手続補正１】
【補正対象書類名】明細書
【補正対象項目名】００１５
【補正方法】変更
【補正の内容】
【００１５】
各突起部３の側面は階段状をなしており、その段差ｈは、基部３１の段差ｈ１が最も大きく、中間部３２の段差ｈ２がこれに次ぎ、先端部３３の段差ｈ３が最も小さい。また、突起部３の基部３１における樹脂厚さｄ１／段差高ｈ１は、先端部３３における樹脂厚さｄ３／段差高ｈ３と略等しいか僅かに大きい（１００〜１２０％）ことが好ましい。また、各突起部３の段差高ｈ１〜ｈ３は樹脂厚さｄ１〜ｄ３以上で３倍以下が好適であり、さらに好ましくは樹脂厚さｄ１〜ｄ３の２倍程度である。なお、図示例では３〜４段ずつ一組にして同じ段差高の領域になっているが、１〜２段ずつ、あるいは、全段同じ段差でも良い。各突起部３は正方格子状に配列されているが、六方格子状や斜格子状、あるいは、ランダムに配置されても良い。
【手続補正２】
【補正対象書類名】明細書
【補正対象項目名】００２３
【補正方法】変更
【補正の内容】
【００２３】
以上のように形成された衝撃吸収材１は、図２に示されるように、車体側の取付面４１と内装材（または外装材）４２との間に介装され、ベース部２が車体側の取付面４１に固定される。この状態で、突起部３の頂面４の小突起６が内装材４２の裏面に当接するように、突起部３の高さが事前に調整されている。上述の通り、衝撃吸収材１は、ベース部２からの高さが、段差ｈ１，ｈ２，ｈ３の領域の順に、高くなるほど樹脂の厚さｄ１，ｄ２，ｄ３が小さく、突起部３の先端側ほど変形し易い特徴を有している。
【手続補正３】
【補正対象書類名】明細書
【補正対象項目名】００２４
【補正方法】変更
【補正の内容】
【００２４】
このような衝撃吸収材１を介装した自動車の内装材４２に不慮の事態により乗員が衝突した場合、衝撃力Ｆが内装材４２に加わると、衝撃吸収材１は、段差が小さく（ｈ３）かつ薄肉（ｄ３）の先端部３３から初期変形が誘導され、中間部３２から基端部３１に変形が進むにつれて吸収量が大きくなる理想的なエネルギー吸収パターンとなる。また、段差形状で変形が誘導されることで、突起部が倒れるのが防止され、確実に衝撃吸収できる利点もある。
【手続補正書】
【提出日】平成28年11月28日(2016.11.28)
【手続補正１】
【補正対象書類名】明細書
【補正対象項目名】０００８
【補正方法】変更
【補正の内容】
【０００８】
本発明の遊技機は、
遊技球が流下可能な遊技領域を備えた遊技盤と、
前記遊技領域に配された入球口、及び、特定の入賞口と、
前記特定の入賞口を開閉する開閉部材と、
前記特定の入賞口を通過した遊技球が通過可能な特定領域及び非特定領域と、
前記特定領域又は前記非特定領域へ遊技球を振り分ける振分部材と、
前記入球口への遊技球の入球に基づいて当たりの判定を行う当たり判定手段と、
前記当たりの判定の結果を示す特別図柄を変動表示させて停止表示させる特別図柄表示手段と、
前記特別図柄表示手段により停止表示された特別図柄が予め定めた大当たり図柄である場合に前記開閉部材を作動させる大当たり遊技を実行する大当たり遊技実行手段と、
前記大当たり遊技の実行中に前記振分部材を作動させる振分部材作動手段と、
前記大当たり遊技の実行後の遊技状態を、その大当たり遊技の実行中に前記特定領域への通過があったときには、非高確率状態よりも大当たり当選確率の高い高確率状態に制御可能であり、前記特定領域への通過がなかったときには前記非高確率状態に制御する遊技状態制御手段と、
演出を表示可能な演出表示手段と、
前記演出表示手段を制御可能な演出制御手段と、を備えている遊技機であって、
前記特別図柄表示手段により停止表示され得る前記大当たり図柄には、その大当たり図柄が停止表示されて実行された大当たり遊技中に前記特定領域への通過が許容される通過許容図柄が複数含まれており、
前記演出制御手段は、前記通過許容図柄が停止表示されて実行された大当たり遊技中に前記特定領域への遊技球の通過があった場合に、当該特定領域への遊技球の通過を前記演出表示手段を用いて報知する第１の報知演出制御処理と、大当たり遊技中に前記特定領域への遊技球の通過があった場合でも当該特定領域への通過を前記演出表示手段を用いて報知しない第２の報知演出制御処理と、を実行可能であることを特徴とする遊技機である。
【手続補正２】
【補正対象書類名】特許請求の範囲
【補正対象項目名】全文
【補正方法】変更
【補正の内容】
【特許請求の範囲】
【請求項１】
遊技球が流下可能な遊技領域を備えた遊技盤と、
前記遊技領域に配された入球口、及び、特定の入賞口と、
前記特定の入賞口を開閉する開閉部材と、
前記特定の入賞口を通過した遊技球が通過可能な特定領域及び非特定領域と、
前記特定領域又は前記非特定領域へ遊技球を振り分ける振分部材と、
前記入球口への遊技球の入球に基づいて当たりの判定を行う当たり判定手段と、
前記当たりの判定の結果を示す特別図柄を変動表示させて停止表示させる特別図柄表示手段と、
前記特別図柄表示手段により停止表示された特別図柄が予め定めた大当たり図柄である場合に前記開閉部材を作動させる大当たり遊技を実行する大当たり遊技実行手段と、
前記大当たり遊技の実行中に前記振分部材を作動させる振分部材作動手段と、
前記大当たり遊技の実行後の遊技状態を、その大当たり遊技の実行中に前記特定領域への通過があったときには、非高確率状態よりも大当たり当選確率の高い高確率状態に制御可能であり、前記特定領域への通過がなかったときには前記非高確率状態に制御する遊技状態制御手段と、
演出を表示可能な演出表示手段と、
前記演出表示手段を制御可能な演出制御手段と、を備えている遊技機であって、
前記特別図柄表示手段により停止表示され得る前記大当たり図柄には、その大当たり図柄が停止表示されて実行された大当たり遊技中に前記特定領域への通過が許容される通過許容図柄が複数含まれており、
前記演出制御手段は、前記通過許容図柄が停止表示されて実行された大当たり遊技中に前記特定領域への遊技球の通過があった場合に、当該特定領域への遊技球の通過を前記演出表示手段を用いて報知する第１の報知演出制御処理と、大当たり遊技中に前記特定領域への遊技球の通過があった場合でも当該特定領域への通過を前記演出表示手段を用いて報知しない第２の報知演出制御処理と、を実行可能であることを特徴とする遊技機。
【誤訳訂正書】
【提出日】平成29年5月15日(2017.5.15)
【誤訳訂正１】
【訂正対象書類名】明細書
【訂正対象項目名】００８５
【訂正方法】変更
【訂正の内容】
【００８５】
加えて、好ましい実施態様では、不揮発性メモリ153は、監視/制御システムと通信しな
くても、充電/通信システムによる一部の最初のスタートアップ機能の実行を可能にする
プログラミングを保存する。特に、メモリ153は、「単独準備モード」の動作において、充
電/通信システムのみを用いて植え込み時に植え込み装置の試験を可能にするルーチンを
含み得る。この場合、医師がポンプを手動で始動することができるボタンを設けることが
でき、ディスプレイ159を使用して、ポンプ輸送セッションが正常に行われているか否か
をフィードバックする。また、充電/通信システムのディスプレイ159を使用して、医師に
よる植え込み装置、流入カテーテル、又は流出カテーテルの位置の調整に役立つように設
計されたエラーメッセージを表示することができる。これらの機能は、好ましくは、植え
込み装置の最初の植え込みの後に無効にされる。
【手続補正書】
【提出日】平成28年12月26日(2016.12.26)
【手続補正１】
【補正対象書類名】特許請求の範囲
【補正対象項目名】全文
【補正方法】変更
【補正の内容】
【特許請求の範囲】
【請求項１】
複数の車輪を有する台車、
前記台車に搭載されているＸ線装置本体、
前記台車に搭載されており、前記車輪を駆動する走行用モータ、及び
前記台車に設けられ、ハンドル本体と、前記台車の走行を阻止するブレーキを解除するためのブレーキ解除スイッチとを有した操作ハンドル、
を備え、
前記操作ハンドルには、前記ハンドル本体の長さ方向に直角な断面の大きさを変更するためのサイズ調整機構が設けられていることを特徴とする移動型Ｘ線装置。
【請求項２】
前記ハンドル本体は、第１のハンドル部材と、前記第１のハンドル部材に嵌め合わされている第２のハンドル部材とを有しており、
前記サイズ調整機構により、前記第２のハンドル部材の前記第１のハンドル部材への挿入深さが調整可能になっていることを特徴とする請求項１記載の移動型Ｘ線装置。
【請求項３】
前記ハンドル本体は、第１のハンドル部材と、前記第１のハンドル部材に対向する第２のハンドル部材と、前記第１のハンドル部材と前記第２のハンドル部材との間に連結されている連結部材とを有しており、
前記サイズ調整機構により、前記第１のハンドル部材と前記第２のハンドル部材との間の間隔が調整可能になっていることを特徴とする請求項１記載の移動型Ｘ線装置。
【請求項４】
前記サイズ調整機構は、前記ハンドル本体内に設けられており、前記ハンドル本体の断面の大きさを連続的に変更するサイズ変更アクチュエータを有していることを特徴とする請求項１乃至３のいずれか１項に記載の移動型Ｘ線装置。
【請求項５】
前記サイズ調整機構は、前記第２のハンドル部材を前記第１のハンドル部材に固定するための締結具と、前記第２のハンドル部材に設けられている複数のねじ穴とを有しており、
前記締結具を締め込む前記ねじ穴を選択することにより、前記第２のハンドル部材の前記第１のハンドル部材への挿入深さが調整可能になっていることを特徴とする請求項２記載の移動型Ｘ線装置。
【請求項６】
前記サイズ調整機構は、前記連結部材を前記第１のハンドル部材に固定するための第１の締結具と、前記第１のハンドル部材に設けられている複数の第１のねじ穴と、前記連結部材を前記第２のハンドル部材に固定するための第２の締結具と、前記第２のハンドル部材に設けられている複数の第２のねじ穴とを有しており、
前記第１の締結具を締め込む前記第１のねじ穴を選択するとともに、前記第２の締結具を締め込む前記第２のねじ穴を選択することにより、前記第１のハンドル部材と前記第２のハンドル部材との間の間隔が調整可能になっていることを特徴とする請求項３記載の移動型Ｘ線装置。
【手続補正２】
【補正対象書類名】明細書
【補正対象項目名】０００７
【補正方法】変更
【補正の内容】
【０００７】
この発明に係る移動型Ｘ線装置は、複数の車輪を有する台車、台車に搭載されているＸ線装置本体、台車に搭載されており、車輪を駆動する走行用モータ、及び台車に設けられ、ハンドル本体と、台車の走行を阻止するブレーキを解除するためのブレーキ解除スイッチとを有した操作ハンドルを備え、操作ハンドルには、ハンドル本体の長さ方向に直角な断面の大きさを変更するためのサイズ調整機構が設けられている。
【手続補正３】
【補正対象書類名】明細書
【補正対象項目名】００１０
【補正方法】変更
【補正の内容】
【００１０】
以下、この発明を実施するための形態について、図面を参照して説明する。
実施の形態１．
図１はこの発明の実施の形態１による移動型Ｘ線装置（回診用Ｘ線撮影装置）を示す側面図である。図１において、台車１の下部には、複数の車輪として、一対の前輪２及び一対の後輪３が設けられている。台車１上には、Ｘ線装置本体４が搭載されている。Ｘ線装置本体４は、台車１上に立設された支柱５、支柱５に上下動可能に支持されている伸縮可能なアーム６、及びアーム６の先端に支持されているＸ線管７を有している。
【手続補正４】
【補正対象書類名】明細書
【補正対象項目名】００２８
【補正方法】変更
【補正の内容】
【００２８】
実施の形態３．
次に、図８はこの発明の実施の形態３による移動型Ｘ線装置の操作ハンドルを示す正面図、図９は図８の操作ハンドルを示す底面図、図１０は図８の操作ハンドルを斜め上から見た斜視図、図１１は図８の操作ハンドルを斜め下から見た斜視図、図１２は図８のＸＩＩ−ＸＩＩ線に沿う断面図である。実施の形態１、２では、ハンドル本体１１の断面の上下方向寸法を変更可能としたが、実施の形態３では、ハンドル本体２１の断面の前後方向寸法を変更可能としている。
【手続補正５】
【補正対象書類名】明細書
【補正対象項目名】００４５
【補正方法】変更
【補正の内容】
【００４５】
締結具３７，３８を締め込むねじ穴３４ａ，３５ａを選択することにより、第１のハンドル部材３４と第２のハンドル部材３５との間の間隔が調整可能になっている。これにより、ハンドル本体３１の長さ方向に直角な断面（図１３）の大きさ（太さ）が段階的に変更可能となっている。即ち、実施の形態４のサイズ調整機構３９は、締結具３７，３８及びねじ穴３４ａ，３５ａにより構成されている。
【手続補正６】
【補正対象書類名】明細書
【補正対象項目名】００５１
【補正方法】変更
【補正の内容】
【００５１】
実施の形態６．
次に、図１５はこの発明の実施の形態６による移動型Ｘ線装置の操作ハンドルの断面図である。図１５において、ハンドル本体１１内には、第２のハンドル部材１５の第１のハンドル部材１４への挿入深さ（嵌め合わせ深さ）を連続的に変更するサイズ変更アクチュエータとしてのサイズ変更モータ５１が設けられている。この例では、サイズ変更モータ５１は、スイッチ基板１８上に設けられている。
【手続補正７】
【補正対象書類名】図面
【補正対象項目名】図１２
【補正方法】変更
【補正の内容】
【図１２】
2015128473.tif 000001
【手続補正書】
【提出日】平成28年12月8日(2016.12.8)
【手続補正１】
【補正対象書類名】明細書
【補正対象項目名】００１８
【補正方法】変更
【補正の内容】
【００１８】
本適用例によれば、ケーブルは第１辺及び第２辺に位置している。そして、第１辺にお
ける突起部間の開口部と第２辺における突起部間の開口部とは交互に配置されている。第
１辺における開口部と第２辺における開口部とが対向する場所に位置するとき、対向する
開口部を通る線が平行になる。そして、音響レンズは突起部のある場所より開口部のある場所において強度が弱いので平行な線に沿って曲がり易くなる。一方、開口部が交互に配置されているときには、第１辺の開口部と第２辺の開口部とを結ぶ線が交差する。従って、音響レンズは曲がり易い場所が交差する線に沿った形態となる為、曲がり易い場所が平行な線に沿うときに比べて曲がり難くすることができる。
【手続補正２】
【補正対象書類名】明細書
【補正対象項目名】００４７
【補正方法】変更
【補正の内容】
【００４７】
図５（ｂ）は音響レンズの形状を示す模式平面図であり、−Ｚ方向から見た図である。図５（ｃ）〜図５（ｅ）は音響レンズの形状を示す模式側断面である。図５（ｃ）は図５（ｂ）のＡ−Ａ線に沿う模式側断面図であり、図５（ｄ）は図５（ｂ）のＢ−Ｂ線に沿う模式側断面図である。図５（ｅ）は図５（ｂ）のＣ−Ｃ線に沿う模式側断面図である。
【手続補正書】
【提出日】平成28年11月30日(2016.11.30)
【手続補正１】
【補正対象書類名】特許請求の範囲
【補正対象項目名】全文
【補正方法】変更
【補正の内容】
【特許請求の範囲】
【請求項１】
弾力性がある発泡体で構成されて、床側となる基層と、この基層の上側に設けられ、弾力性がある発泡体で構成される支持層と、基層および支持層の間に設けられる中間層とを備えたマットレスにおいて、
前記中間層は、発泡体から構成され、かつ、
水平方向に互いに離隔して形成された複数の空間部と、
互いに隣り合う前記空間部を水平方向に連通する連通路と、
を備えることを特徴とするマットレス。
【請求項２】
前記連通路を挟んで互いに隣り合って形成された連結部を、さらに備え、
前記連結部は、下側に位置する層と上側に位置する層との間に亘って延在することを特徴とする請求項２に記載のマットレス。
【請求項３】
弾力性がある発泡体で構成されて、床側となる基層と、この基層の上側に設けられ、弾力性がある発泡体で構成される支持層と、基層および支持層の間に設けられる中間層とを備えたマットレスにおいて、
前記中間層は、除膜処理された連続気泡構造の発泡体から構成されて、該中間層の下側に位置する層から上側に位置する層に亘って延在すると共に水平方向に分散して配置される複数の連結部を有し、該複数の連結部の間に空間部が設けられる
ことを特徴とするマットレス。
【請求項４】
前記基層は、前記連結部の間において上下に貫通する前記空間部に合わせて形成されて、該空間部に開口する凹部を備える請求項３記載のマットレス。
【請求項５】
前記基層は、前記支持層よりも硬く設定され、
前記支持層は、前記基層よりも反発弾性が大きく設定される請求項３または４記載のマットレス。
【請求項６】
前記中間層は、隣り合う連結部が少なくとも下側の層側で繋がるように形成される請求項３〜５の何れか一項に記載のマットレス。
【手続補正２】
【補正対象書類名】明細書
【補正対象項目名】０００６
【補正方法】変更
【補正の内容】
【０００６】
前記課題を克服し、所期の目的を達成するため、本願の請求項１に係る発明のマットレスは、
弾力性がある発泡体で構成されて、床側となる基層と、この基層の上側に設けられ、弾力性がある発泡体で構成される支持層と、基層および支持層の間に設けられる中間層とを備えたマットレスにおいて、
前記中間層は、発泡体から構成され、かつ、
水平方向に互いに離隔して形成された複数の空間部と、
互いに隣り合う前記空間部を水平方向に連通する連通路と、
を備えることを要旨とする。
また、請求項２に係る発明では、前記連通路を挟んで互いに隣り合って形成された連結部を、さらに備え、
前記連結部は、下側に位置する層と上側に位置する層との間に亘って延在することを要旨とする。
請求項３に係る発明では、弾力性がある発泡体で構成されて、床側となる基層と、この基層の上側に設けられ、弾力性がある発泡体で構成される支持層と、基層および支持層の間に設けられる中間層とを備えたマットレスにおいて、
前記中間層は、除膜処理された連続気泡構造の発泡体から構成されて、該中間層の下側に位置する層から上側に位置する層に亘って延在すると共に水平方向に分散して配置される複数の連結部を有し、該複数の連結部の間に空間部が設けられることを要旨とする。
請求項３に係る発明によれば、中間層を除膜処理された連続気泡構造の発泡体で構成することで、基層と支持層との間に積層された発泡体自体で通気させることができる。また、中間層には、分散して配置された複数の連結部の間に、発泡体がない空間部が形成されているので、中間層での空気の流動性を高めることができる。これにより、マットレスの内部に熱や湿気などがこもりにくくすることができ、快適な使用感が得られる。
【手続補正３】
【補正対象書類名】明細書
【補正対象項目名】０００７
【補正方法】変更
【補正の内容】
【０００７】
請求項４に係る発明では、前記基層は、前記連結部の間において上下に貫通する前記空間部に合わせて形成されて、該空間部に開口する凹部を備えることを要旨とする。
請求項４に係る発明によれば、基層に中間層の空間部に開口する凹部を設けることで、凹部によって空間部が広くなり、中間層での空気の流動性をより向上させることができる。
【手続補正４】
【補正対象書類名】明細書
【補正対象項目名】０００８
【補正方法】変更
【補正の内容】
【０００８】
請求項５に係る発明では、前記基層は、前記支持層よりも硬く設定され、
前記支持層は、前記基層よりも反発弾性が大きく設定されることを要旨とする。
請求項５に係る発明によれば、良好な体圧分散性が得られると共に、底付き感の発生を防止し得る。
【手続補正５】
【補正対象書類名】明細書
【補正対象項目名】０００９
【補正方法】変更
【補正の内容】
【０００９】
請求項６に係る発明では、前記中間層は、隣り合う連結部が少なくとも下側の層側で繋がるように形成されことを要旨とする。
請求項６に係る発明によれば、中間層が柔軟になり過ぎることを防止できる。
【手続補正書】
【提出日】平成29年10月20日(2017.10.20)
【手続補正１】
【補正対象書類名】特許請求の範囲
【補正対象項目名】全文
【補正方法】変更
【補正の内容】
【特許請求の範囲】
【請求項１】
振動子の電気−機械エネルギー変換素子の第１の電極に印加される第１の交流信号、及び、前記電気−機械エネルギー変換素子の第２の電極に印加される第２の交流信号を生成する交流信号生成手段と、前記第１の交流信号と前記第２の交流信号の電圧振幅を設定する制御手段と、を備え、
前記制御手段は、停止状態において、前記第１の交流信号と前記第２の交流信号の電圧振幅を、ゼロより大きく、かつ不感帯領域内の値に設定することを特徴とする振動型アクチュエータの駆動装置。
【請求項２】
前記交流信号生成手段は、２相のパルス信号を生成する駆動信号生成手段と、前記２相のパルス信号に応じた交流信号を生成する昇圧回路を含み、
前記制御手段は、前記２相のパルス信号のパルスデューティを制御することで前記第１の交流信号と前記第２の交流信号の電圧振幅を制御することを特徴とする請求項１に記載の振動型アクチュエータの駆動装置。
【請求項３】
振動子の電気−機械エネルギー変換素子の第１の電極に印加される第１の交流信号、及び、前記電気−機械エネルギー変換素子の第２の電極に印加される第２の交流信号を生成する交流信号生成手段と、前記第１の交流信号と前記第２の交流信号との位相差を設定する制御手段と、を備え、
前記制御手段は、停止状態において、前記第１の交流信号と前記第２の交流信号との位相差を、ゼロ以外で、かつ不感帯領域内の値に設定することを特徴とする振動型アクチュエータの駆動装置。
【請求項４】
前記交流信号生成手段は、２相のパルス信号を生成する駆動信号生成手段と、前記２相のパルス信号に応じた交流信号を生成する昇圧回路を含み、
前記制御手段は、前記２相のパルス信号の位相差を制御することにより前記第１の交流信号と前記第２の交流信号との位相差を制御することを特徴とする請求項３に記載の振動型アクチュエータの駆動装置。
【請求項５】
前記制御手段は、前記停止状態において、前記第１の交流信号と前記第２の交流信号との位相差を、ゼロ以外で、前記不感帯領域内のある値に設定するように構成され、
前記ある値は、前記不感帯領域の下限値と上限値のうち、前記停止状態の後の駆動時における前記第１の交流信号と前記第２の交流信号との位相差との差が小さい方の値と、ゼロとの間の領域にあることを特徴とする請求項３または４に記載の振動型アクチュエータの駆動装置。
【請求項６】
前記制御手段は、前記振動子が駆動される駆動状態と、前記停止状態とが交互に現れるよう、前記第１の交流信号と前記第２の交流信号を制御することを特徴とする請求項１乃至５のいずれか１項に記載の振動型アクチュエータの駆動装置。
【請求項７】
前記交流信号生成手段は、２相のパルス信号を生成する駆動信号生成手段と、前記２相のパルス信号に応じた交流信号を生成する昇圧回路を含むことを特徴とする請求項１乃至６のいずれか１項に記載の振動型アクチュエータの駆動装置。
【請求項８】
前記制御手段は、前記２相のパルス信号の位相差及びパルスデューティを制御することにより、前記第１の交流信号と前記第２の交流信号の電圧振幅及び前記第１の交流信号と前記第２の交流信号との位相差を制御することを特徴とする請求項７に記載の振動型アクチュエータの駆動装置。
【請求項９】
前記制御手段は、前記振動型アクチュエータの駆動停止期間には前記パルスデューティを、前記不感帯領域の上限値に設定することを特徴とする請求項２または８に記載の振動型アクチュエータの駆動装置。
【請求項１０】
前記制御手段は、前記振動型アクチュエータの駆動停止期間には、前記第１の交流信号と前記第２の交流信号との位相差を、前記移動方向に応じて前記不感帯領域の最小或いは最大値に設定することを特徴とする請求項１乃至８のいずれか１項に記載の振動型アクチュエータの駆動装置。
【請求項１１】
前記制御手段は、前記振動子に生じる楕円運動の楕円比を決定し、前記楕円比に基づいて前記第１の交流信号と前記第２の交流信号との位相差を決定することを特徴とする請求項１乃至１０のいずれか１項に記載の振動型アクチュエータの駆動装置。
【請求項１２】
前記第１の交流信号の位相と前記第２の交流信号の位相とが同じ場合に前記振動子に生じる第１の振動モードと、前記第１の交流信号と前記第２の交流信号の位相が逆の場合に前記振動子に生じる第２の振動モードを組み合わせることにより前記被駆動体を相対移動させることを特徴とする請求項１乃至１１のいずれか１項に記載の振動型アクチュエータの駆動装置。
【請求項１３】
フォーカスレンズと、
前記フォーカスレンズを駆動する振動型アクチュエータと、
前記振動型アクチュエータを駆動する請求項１乃至１２のいずれか１項に記載の駆動装置と、を有することを特徴とするフォーカスレンズ。
【請求項１４】
レンズと、
前記レンズを駆動する振動型アクチュエータと、
前記振動型アクチュエータを駆動する請求項１乃至１２のいずれか１項に記載の駆動装置と、
前記レンズの光軸上に設けられた撮像素子と、
を有することを特徴とする撮像装置。
【請求項１５】
前記静止状態は、前記レンズの合焦時の前記振動子の一状態であることを特徴とする請求項１４に記載の撮像装置。
【手続補正２】
【補正対象書類名】明細書
【補正対象項目名】００１１
【補正方法】変更
【補正の内容】
【００１１】
本発明の一様態の振動型アクチュエータは、振動子の電気−機械エネルギー変換素子の第１の電極に印加される第１の交流信号、及び、前記電気−機械エネルギー変換素子の第２の電極に印加される第２の交流信号を生成する交流信号生成手段と、前記第１の交流信号と前記第２の交流信号の電圧振幅を設定する制御手段とを備え、前記制御手段は、停止状態において、前記第１の交流信号と前記第２の交流信号の電圧振幅を、ゼロより大きく、かつ不感帯領域内の値に設定することを特徴とする。
また、本発明の別の一様態の振動型アクチュエータは、振動子の電気−機械エネルギー変換素子の第１の電極に印加される第１の交流信号、及び、前記電気−機械エネルギー変換素子の第２の電極に印加される第２の交流信号を生成する交流信号生成手段と、前記第１の交流信号と前記第２の交流信号との位相差を設定する制御手段と、を備え、前記制御手段は、停止状態において、前記第１の交流信号と前記第２の交流信号との位相差を、ゼロ以外で、かつ不感帯領域内の値に設定することを特徴とする。
【手続補正書】
【提出日】平成28年12月6日(2016.12.6)
【手続補正１】
【補正対象書類名】特許請求の範囲
【補正対象項目名】請求項６
【補正方法】変更
【補正の内容】
【請求項６】
前記第１の処理および前記第２の処理を開始する前に前記認証手段による前記認証処理が完了し、認証されなかった場合に、ユーザに対して電池に関する確認画面を表示するように制御する表示制御手段をさらに有することを特徴とする請求項１ないし５のいずれか１項に記載の電子機器。
【手続補正２】
【補正対象書類名】明細書
【補正対象項目名】００３３
【補正方法】変更
【補正の内容】
【００３３】
外部Ｉ／Ｆ２１７は、無線アンテナや有線ケーブルによって外部機器３００と通信可能に接続し、映像や音声の送受信を行う。外部Ｉ／Ｆ２１７は無線ＬＡＮ（Ｌｏｃａｌ Ａｒｅａ Ｎｅｔｗｏｒｋ）やインターネットにも接続可能である。外部Ｉ／Ｆ２１７は撮像部２０５で撮像された画像データ（スルー画像を含む）や、記録媒体１１０に記録されている画像ファイルを外部機器３００に送信でき、また、外部機器３００から画像データやその他の各種情報を受信できる。
【手続補正３】
【補正対象書類名】明細書
【補正対象項目名】００８０
【補正方法】変更
【補正の内容】
【００８０】
ステップＳ６１１では、システム制御部２０１は、電源オフ要求があったか否かを判定する。判定の結果、電源オフ要求がない場合はステップＳ６１２へ進み、電源オフ要求があった場合は本処理を終了する。
【手続補正４】
【補正対象書類名】明細書
【補正対象項目名】０１０９
【補正方法】変更
【補正の内容】
【０１０９】
ステップＳ９０６では、システム制御部２０１は、ユーザ操作により無線接続開始指示が行われたか否かを判定する。判定の結果、無線接続開始指示が行われた場合はステップＳ９０７に進み、行われていない場合はステップＳ９０２に戻る。なお、無線接続開始指示に関するユーザ操作には、接続方式の選択（カメラをアクセスポイントとするか、他のアクセスポイントを介して接続するか、等）、接続相手機器の選択操作（ＳＳＩＤなどの接続ＩＤの入力を含んでも良い）、選択した接続相手機器への接続の実行開始指示が含まれる。
【手続補正５】
【補正対象書類名】明細書
【補正対象項目名】０１１９
【補正方法】変更
【補正の内容】
【０１１９】
また、ステップＳ９１８（Ｓ９２１）では、システム制御部２０１は、電源オフ要求がない場合はステップＳ９０６（Ｓ９１２）へ進み、電源オフ要求があった場合は本処理を終了する。
【手続補正書】
【提出日】平成29年7月20日(2017.7.20)
【手続補正１】
【補正対象書類名】特許請求の範囲
【補正対象項目名】全文
【補正方法】変更
【補正の内容】
【特許請求の範囲】
【請求項１】
複合椎体間装置であって、
上側表面と下側表面とを有するプラスチックコアと、
上側端板および下側端板と
を備え、
前記上側および下側端板の各々は、
（ａ）骨と接合するための骨界面側面であって、前記骨界面側面は、中での骨成長を可能にするための複数の細孔を有する、骨界面側面と、
（ｂ）前記骨界面側面と反対側のコア界面側面であって、前記コア界面側面は、前記端板を前記上側および下側表面のそれぞれの１つに連結するための前記プラスチックコアの材料を収容する複数の隙間を有し、前記隙間は、前記プラスチックコアの材料が前記細孔に進入することを防止するために、前記細孔から隔離されている、コア界面側面と
を含む、複合椎体間装置。
【請求項２】
前記上側および下側端板の各々は、金属から構成されている、請求項１に記載の複合椎体間装置。
【請求項３】
前記金属は、チタンである、請求項２に記載の複合椎体間装置。
【請求項４】
前記端板の各々の前記骨界面側面は、骨成長促進コーティングを含む、請求項１に記載の複合椎体間装置。
【請求項５】
前記骨成長促進コーティングは、ヒドロキシアパタイトを含む、請求項４に記載の複合椎体間装置。
【請求項６】
前記複合椎体間装置を通る骨成長を可能にするために、前記上側端板、前記プラスチックコア、および前記下側端板を通るチャネルを形成する、請求項１に記載の複合椎体間装置。
【請求項７】
前記端板の各々は、前記骨界面側面と前記コア界面側面との間に、前記隙間を前記細孔から隔離する中心障壁層をさらに含む、請求項１に記載の複合椎体間装置。
【請求項８】
前記端板の各々の前記中心障壁層は、中実金属シートを含む、請求項７に記載の複合椎体間装置。
【請求項９】
前記端板の各々の前記細孔は、前記骨界面側面を通して前記中心障壁層までに及ぶ円筒形開口部を含む、請求項７に記載の複合椎体間装置。
【請求項１０】
前記端板の各々の前記骨界面側面は、複数の金属層を含み、各金属層は、複数の開口を形成する、請求項７に記載の複合椎体間装置。
【請求項１１】
複合椎体間装置を製造する方法であって、
上側端板および下側端板を作製することであって、前記上側および下側端板の各々は、
（ａ）骨と接合するための骨界面側面であって、前記骨界面側面は、複数の細孔を有する、骨界面側面と、
（ｂ）前記骨界面側面と反対側のコア界面側面であって、前記コア界面側面は、前記細孔から隔離されている複数の隙間を有する、コア界面側面と
を含む、ことと、
前記端板の間にプラスチックコアを形成するために、前記端板の間にプラスチックを成形することであって、前記プラスチックは、前記細孔に進入せずに、前記端板の各々の前記コア界面側面の前記隙間の中に押し出し、前記細孔中への骨成長を可能にすると同時に前記端板を前記プラスチックコアに連結する、ことと
を含む、方法。
【請求項１２】
前記成形するステップは、
前記端板を鋳型の中で、コア空洞のそれぞれの対向する側面上に定置することであって、前記コア界面側面は、前記コア空洞に対面し、前記骨界面側面は、前記空洞から離れる方向に対面する、ことと、
溶融プラスチックを前記コア空洞の中に射出することであって、前記溶融プラスチックの一部は、前記端板の各々の前記隙間のうちの少なくともいくつかに進入し、前記端板が連結される前記プラスチックコアを形成する、ことと
を含む、請求項１１に記載の方法。
【請求項１３】
前記射出するステップは、前記プラスチックコアが前記隙間中の前記プラスチックの一部を介して前記端板に連結されるように、前記端板の各々の前記隙間のうちの少なくともいくつかの中に前記プラスチックの一部を堆積させることを含む、請求項１２に記載の方法。
【請求項１４】
前記複合椎体間装置を通る骨成長を可能にするために、前記上側端板、前記プラスチックコア、および前記下側端板を通るチャネルを形成することをさらに含む、請求項１１に記載の方法。
【請求項１５】
前記作製するステップは、金属から前記端板の各々を生成することを含む、請求項１１に記載の方法。
【請求項１６】
前記生成するステップは、前記端板の各々に対して、複数の金属層を一緒に接着することにより、前記端板を形成することを含む、請求項１５に記載の方法。
【請求項１７】
前記作製するステップは、前記端板の各々に対して、前記細孔から前記隙間を隔離するように構成された中心障壁層を規定する中実金属シートの対向する表面上に前記骨界面側面および前記コア界面側面を形成することを含む、請求項１１に記載の方法。
【請求項１８】
前記形成するステップは、前記端板の各々に対して、複数の開口を規定する少なくとも１つの金属シートを前記中心障壁層の対向する表面の各々に接着することを含む、請求項１７に記載の方法。
【請求項１９】
前記接着するステップは、前記端板の各々の前記骨界面側面に対して、複数の金属シートを一緒に接着することにより、前記骨界面側面を多層構造として形成することを含み、前記複数の金属シートの各々は、複数の開口を規定する、請求項１８に記載の方法。
【請求項２０】
前記形成するステップは、前記端板の各々に対して、前記コア界面側面および前記中心障壁層を単一連続構造として形成することを含む、請求項１７に記載の方法。
【手続補正書】
【提出日】平成28年12月9日(2016.12.9)
【手続補正１】
【補正対象書類名】特許請求の範囲
【補正対象項目名】全文
【補正方法】変更
【補正の内容】
【特許請求の範囲】
【請求項１】
塵埃及び空気を吸い込むように筐体の底面に設けられた吸込口と、
前記吸込口から吸い込まれた塵埃を集塵すると共に、気流を通過させる集塵部と、
前記集塵部を通過した気流を吸入した後に排出する送風部と、
前記送風部から排出された気流を排気する排気口と、を備え、
前記排気口は、前記筐体の上面に設けられると共に、排気する気流を斜め上方に向けるための傾斜面を有していることを特徴とする自走式掃除ロボット。
【請求項２】
塵埃及び空気を吸い込むように筐体の底面に設けられた吸込口と、
前記吸込口から吸い込まれた塵埃を集塵すると共に、気流を通過させる集塵部と、
前記集塵部を通過した気流を吸入した後に排出する送風部と、を備え、
前記送風部から排出された気流を、前記筐体の上面より複数に分けて排気することを特徴とする自走式掃除ロボット。
【請求項３】
塵埃及び空気を吸い込むように筐体の底面に設けられた吸込口と、
前記吸込口から吸い込まれた塵埃を集塵すると共に、気流を通過させる集塵部と、
前記集塵部を通過した気流を吸入した後に排出する送風部と、
前記送風部から排出された気流を排気する排気口と、を備え、
前記集塵部は、前記吸込口から吸い込まれた塵埃を集塵する集塵容器を有し、
前記排気口は、前記筐体の上面の外周側であって、かつ、前記集塵容器よりも外周側に設けられていることを特徴とする自走式掃除ロボット。
【請求項４】
前記筐体の上面に開閉可能に設けられ、前記集塵容器を前記筐体の上面より出し入れ可能にする蓋部を備え、
前記排気口は、前記蓋部の外縁に沿って設けられていることを特徴とする請求項３に記載の自走式掃除ロボット。
【請求項５】
前記集塵容器は、上部から底部に向かって窄まった形状をなすと共に、前記送風部へと気流を導く流出口が上部から底部に向かって傾斜している面に形成され、
前記流出口とパッキンを介して密接される前記送風部に繋がる経路の開口は、上部から下部に向かって傾斜していることを特徴とする請求項４に記載の自走式掃除ロボット。
【請求項６】
床面に対峙する吸込口を底面に開口する筐体と、
水平な回転軸を有して前記筐体を自走させる一対の駆動輪と、
前記駆動輪に対して掃除時の進行方向の後方に配される後輪と、を備え、
前記吸込口は、前記駆動輪に対して前記進行方向の前方に配され、
平坦な床面を自走する際に、前記筐体における前記進行方向の前方側が床面から離れて前記駆動輪及び前記後輪が接地することを特徴とする自走式掃除ロボット。
【請求項７】
前記回転軸が前記筐体の中心線上に配されることを特徴とする請求項６に記載の自走式掃除ロボット。
【請求項８】
前記吸込口に配される回転ブラシを備え、掃除を行う際に前記回転ブラシが接地することを特徴とする請求項６又は７に記載の自走式掃除ロボット。
【請求項９】
前記後輪は、前記駆動輪の回転軸方向において、前記吸込口の両端の間に配されることを特徴とする請求項６から８の何れか１項に記載の自走式掃除ロボット。
【請求項１０】
前記後輪は、前記駆動輪の回転軸方向において、前記筐体の略中央に配されることを特徴とする請求項９に記載の自走式掃除ロボット。
【手続補正書】
【提出日】平成29年8月2日(2017.8.2)
【手続補正１】
【補正対象書類名】特許請求の範囲
【補正対象項目名】全文
【補正方法】変更
【補正の内容】
【特許請求の範囲】
【請求項１】
遊技媒体の受け入れに伴う始動条件の成立に基づいて特別遊技の抽選を行う抽選手段と、
前記抽選手段による抽選に基づいて演出を制御する演出制御手段と、
遊技者が操作可能な操作手段と、
を備える遊技機であって、
前記演出制御手段は、
前記操作手段に対する複数の操作態様のいずれかを指示する指示演出を実行する指示演出実行手段と、
前記操作手段に対する操作に基づく応答演出を、前記特別遊技に対する期待度に関連する態様で実行する応答演出実行手段と、
を備え、
前記指示演出の実行パターンが特定の実行パターンであるときには、前記特別遊技に対する期待度が高い特定態様で前記応答演出を実行するようにした
ことを特徴とする遊技機。
【手続補正２】
【補正対象書類名】明細書
【補正対象項目名】０００４
【補正方法】変更
【補正の内容】
【０００４】
しかしながら、従来の遊技機では、遊技者が操作参加する意義が希薄になりがちで、演出時の操作参加に対する遊技者の興味が損なわれるという課題があった。そこで、本発明は、演出時の操作参加に対する遊技者の興味向上し得る遊技機を提供することを目的とする
【手続補正３】
【補正対象書類名】明細書
【補正対象項目名】０００５
【補正方法】変更
【補正の内容】
【０００５】
前記目的を達成するために、本発明は、
遊技媒体の受け入れに伴う始動条件の成立に基づいて特別遊技の抽選を行う抽選手段と、
前記抽選手段による抽選に基づいて演出を制御する演出制御手段と、
遊技者が操作可能な操作手段と、
を備える遊技機であって、
前記演出制御手段は、
前記操作手段に対する複数の操作態様のいずれかを指示する指示演出を実行する指示演出実行手段と、
前記操作手段に対する操作に基づく応答演出を、前記特別遊技に対する期待度に関連する態様で実行する応答演出実行手段と、
を備え、
前記指示演出の実行パターンが特定の実行パターンであるときには、前記特別遊技に対する期待度が高い特定態様で前記応答演出を実行するようにした
ことを特徴とする。
【手続補正書】
【提出日】平成29年4月5日(2017.4.5)
【手続補正１】
【補正対象書類名】特許請求の範囲
【補正対象項目名】全文
【補正方法】変更
【補正の内容】
【特許請求の範囲】
【請求項１】
遊技媒体が流下可能な遊技領域を有し、透過性を有する遊技パネルと、
前記透過性を有する遊技パネルの後方に設けられるパネル裏装飾手段と、
を備え、
前記透過性を有する遊技パネルの面部には、所定の絵柄が視認可能な装飾面と、前記絵柄のない透明面とが設けられ、
前記パネル裏装飾手段は、第１の装飾部と、第２の装飾部とを有しており、
前記第１の装飾部は、前記透明面を通して視認可能に設けられ、
前記第２の装飾部は、
発光部を有しており、前記装飾面が前方に位置する待機状態と、該待機状態に比べて遊技者に視認容易となる移動状態とに変化可能に設けられ、
前記第２の装飾部が前記待機状態にある状況下で前記発光部を発光させると、前記待機状態にある前記第２の装飾部の前方に位置する前記装飾面を、後方から発光装飾しうるものであり、
さらに、前記透過性を有する遊技パネルの前方には、パネル前装飾手段が設けられ、
前記パネル前装飾手段は、前記透過性を有する遊技パネルの面部と重なる特定部位が透過性を有するように構成されてなることを特徴とする遊技機。
【手続補正２】
【補正対象書類名】明細書
【補正対象項目名】０００３
【補正方法】変更
【補正の内容】
【０００３】
このような遊技機において、遊技パネルの前面に遊技機のコンセプトに沿った模様や絵柄等の装飾が施された装飾シートが貼付けられており、遊技興趣の向上を図ったものが複数提案されている（例えば特許文献１）。
【手続補正３】
【補正対象書類名】明細書
【補正対象項目名】０００４
【補正方法】変更
【補正の内容】
【０００４】
【特許文献１】特開２０１０−２２８号公報
【手続補正４】
【補正対象書類名】明細書
【補正対象項目名】０００５
【補正方法】変更
【補正の内容】
【０００５】
上記遊技機では変動表示での大当り遊技状態に対する期待を向上させることが可能であるものの、似たような予告演出が実行されることでマンネリ化を招き、遊技興趣を低下させるおそれがあった。
【手続補正５】
【補正対象書類名】明細書
【補正対象項目名】０００６
【補正方法】変更
【補正の内容】
【０００６】
本発明は上記の実状に鑑み、遊技興趣の低下を抑止可能な遊技機を提供することを目的とする。
【手続補正６】
【補正対象書類名】明細書
【補正対象項目名】０００７
【補正方法】変更
【補正の内容】
【０００７】
上述の目的を達成するための有効な解決手段を以下に示す。なお、必要に応じてその作用等の説明を行う。また、理解の容易のため、発明の実施の形態において対応する構成等についても適宜示すが、何ら限定されるものではない。
遊技媒体が流下可能な遊技領域を有し、透過性を有する遊技パネルと、前記透過性を有する遊技パネルの後方に設けられるパネル裏装飾手段と、を備え、前記透過性を有する遊技パネルの面部には、所定の絵柄が視認可能な装飾面と、前記絵柄のない透明面とが設けられ、前記パネル裏装飾手段は、第１の装飾部と、第２の装飾部とを有しており、前記第１の装飾部は、前記透明面を通して視認可能に設けられ、前記第２の装飾部は、発光部を有しており、前記装飾面が前方に位置する待機状態と、該待機状態に比べて遊技者に視認容易となる移動状態とに変化可能に設けられ、前記第２の装飾部が前記待機状態にある状況下で前記発光部を発光させると、前記待機状態にある前記第２の装飾部の前方に位置する前記装飾面を、後方から発光装飾しうるものであり、さらに、前記透過性を有する遊技パネルの前方には、パネル前装飾手段が設けられ、前記パネル前装飾手段は、前記透過性を有する遊技パネルの面部と重なる特定部位が透過性を有するように構成されてなることを特徴とする。
【手続補正書】
【提出日】平成28年12月5日(2016.12.5)
【手続補正１】
【補正対象書類名】特許請求の範囲
【補正対象項目名】全文
【補正方法】変更
【補正の内容】
【特許請求の範囲】
【請求項１】
第１回転軸を中心として回転される第１回転体と、
前記第１回転軸とは異なる方向に延びる第２回転軸を中心として回転される円環状をなす第２回転体と、
前記第２回転体の内周部から前記第１回転体の外周部にかけて延びる仕切壁と、
前記第２回転体上に配置され、前記第２回転体の内周部との間の薬剤の移送幅が薬剤幅よりも小さくなるように、前記第２回転体の径方向に移動可能な幅規制体と、
前記第２回転体の径方向外側に設けた薬剤排出口とを備え、
前記第１回転体に供給された薬剤が、前記第１回転体の回転により前記第２回転体の移動部に乗り移り、この第２回転体の回転により乗り移った薬剤を前記薬剤排出口に向けて回転方向下流側に移送するようにしたことを特徴とする薬剤供給装置。
【請求項２】
前記第２回転体の移動部より薬剤移送方向下流側に設けられ、前記第２回転体の内周部から前記薬剤排出口にかけて延びる内側ガイド、および、この内側ガイドに対して前記第２回転体の径方向外側に薬剤幅と略同一間隔をあけて位置する外側ガイドを有し、前記第２回転体上の薬剤を前記薬剤排出口に案内する薬剤案内部と、
前記第２回転体の移動部と前記薬剤排出口との間に配設され、前記第２回転体の上面から薬剤高と略同一間隔をあけて位置する高さ規制体と
を更に備えることを特徴とする請求項１に記載の薬剤供給装置。
【請求項３】
前記第１回転体の外周部には、前記第１回転体の径方向外側に向けて下向きに傾斜する斜面部が設けられていることを特徴とする請求項２に記載の薬剤供給装置。
【手続補正２】
【補正対象書類名】明細書
【補正対象項目名】０００９
【補正方法】変更
【補正の内容】
【０００９】
本発明は、第１回転軸を中心として回転される第１回転体と、前記第１回転軸とは異なる方向に延びる第２回転軸を中心として回転される円環状をなす第２回転体と、前記第２回転体の内周部から前記第１回転体の外周部にかけて延びる仕切壁と、前記第２回転体上に配置され、前記第２回転体の内周部との間の薬剤の移送幅が薬剤幅よりも小さくなるように、前記第２回転体の径方向に移動可能な幅規制体と、前記第２回転体の径方向外側に設けた薬剤排出口とを備え、前記第１回転体に供給された薬剤が、前記第１回転体の回転により前記第２回転体の移動部に乗り移り、この第２回転体の回転により乗り移った薬剤を前記薬剤排出口に向けて回転方向下流側に移送するようにしたことを特徴とする薬剤供給装置を提供する。
【手続補正書】
【提出日】平成29年7月11日(2017.7.11)
【手続補正１】
【補正対象書類名】特許請求の範囲
【補正対象項目名】全文
【補正方法】変更
【補正の内容】
【特許請求の範囲】
【請求項１】
エレベータのかごに設けられ、上方に開口した吸入口体と、
前記かごの天井に設けられ、前記吸入口体に連結され、前記かごが上昇する際に前記吸入口体から吸入された空気を前記かごの天井の上面に沿って吹き出す吹出口体と、
を備えたエレベータの清掃装置。
【請求項２】
エレベータのかごに設けられ、下方に開口した吸入口体と、
前記かごの天井に設けられ、前記吸入口体に連結され、前記かごが下降する際に前記吸入口体から吸入された空気を前記かごの天井の上面に沿って吹き出す吹出口体と、
を備えたエレベータの清掃装置。
【請求項３】
エレベータのかごに設けられ、上方に開口した吸入口体の一方と、
前記かごに設けられ、下方に開口した吸入口体の他方と、
前記かごの天井に設けられ、前記吸入口体の一方と他方とに連結された吹出口体と、
前記かごが上昇する際に前記吸入口体の一方から吸入された空気が前記吹出口体から前記かごの天井の上面に沿って吹き出すように前記吸入口体の一方から前記吹出口体につながる風路を確保し、前記かごが下降する際に前記吸入口体の他方から吸入された空気が前記吹出口体から前記かごの天井の上面に沿って吹き出すように前記吸入口体の他方から前記吹出口体につながる風路を確保するダンパーと、
を備えたエレベータの清掃装置。
【請求項４】
前記吹出口体は、前記かごの天井が透明である部分と透明でない部分とを備える場合に前記天井の透明でない部分に設けられ、前記吸入口体から吸入された空気を前記天井の透明である部分に向けて吹き出す請求項１から請求項３のいずれか一項に記載のエレベータの清掃装置。
【請求項５】
前記吹出口体は、前記かごの天井において透明である部分の上面の高さが透明でない部分の高さよりも低い場合に前記吸入口体から吸入された空気を透明である部分と透明でない部分との境界に向けて吹き出す請求項４に記載のエレベータの清掃装置。
【請求項６】
前記かごに設けられ、供給された電力により駆動することで前記吹出口体に風を送る送風機、
を備えた請求項１から請求項５のいずれか一項に記載のエレベータの清掃装置。
【請求項７】
前記かごに設けられ、供給された電力により駆動することで前記吹出口体に向けて風を送る送風機、
を備え、
前記ダンパーは、前記送風機が前記吹出口体に向けて風を送る際に前記送風機から前記吹出口体につながる風路を確保する請求項３に記載のエレベータの清掃装置。